(57)【要約】【課題】メカニカルボリュームを備えて音量調節を行う音響再生装置において、例えばトーンブーストなどの音響効果を与えるための所定の設定項目を、音量レベルに応じて最適化するための構成を簡易且つ安価に実現する。【解決手段】メカニカルボリュームとしての可変抵抗器を介して出力されるべき音声信号に対して直流電圧成分を重畳する。そして、この可変抵抗器から出力された、上記直流電圧成分の重畳された音声信号から音声信号成分を除去することにより上記直流電圧成分のみを抽出し、この抽出された直流電圧成分の電圧レベルを検出することにより、上記可変抵抗器における抵抗値、つまり音量レベルを検出する。その上で、音響効果を与えるための信号処理動作についての所定の設定項目を、上記検出された電圧レベルに応じて制御する。【選択図】        図１
2004289608.tif 000002
【特許請求の範囲】
【請求項１】
入力される音声信号について、この音声信号を音声として出力したときに所定の音響効果が与えられるように、所要の信号処理が可能な信号処理手段と、
上記信号処理手段により出力された上記音声信号が入力され、可変抵抗器を備えて上記音声信号の出力音声についての音量の調節を行う音量調節手段と、
上記音量調節手段に対して入力されるべき音声信号に対して直流電圧成分を重畳する直流電圧重畳手段と、
上記音量調節手段により出力される上記直流電圧成分が重畳されている音声信号から、音声信号成分を除去することで、上記直流電圧成分を抽出する直流電圧抽出手段と、
上記直流電圧抽出手段により抽出された上記直流電圧のレベルに応じて、上記音響効果に関する上記信号処理手段における所定の設定項目が可変されるように制御する制御手段と、
を備えることを特徴とする音響再生装置。
【請求項２】
上記直流電圧重畳手段は、直流電源を、少なくとも１つの抵抗素子を介して上記音量調節手段における可変抵抗器に対して接続することにより形成される、
ことを特徴とする請求項１に記載の音響再生装置。
【請求項３】
上記直流電圧検出手段は、少なくとも抵抗素子とコンデンサ素子とにより形成されるフィルタ回路とされる、
ことを特徴とする請求項１に記載の音響再生装置。
【発明の詳細な説明】
【０００１】
【発明の属する技術分野】
本発明は、例えば入力される音声信号についての音量や音響効果の調節を行うための音響再生装置に関する。
【０００２】
【従来の技術】
【特許文献１】
特開平７−２７３５７６号公報
例えば、ポータブルオーディオ機器においては、音量調節やいわゆるベースブースト量の調節をデジタル信号処理的に実行するように構成されたものがある。すなわち、このような構成においては、先ず音量調節やベースブーストのためのキー操作が行われることに応じて、機器内部に備えられた例えばマイコン（マイクロコンピュータ）からＤＳＰ（Ｄｉｇｉｔａｌ  Ｓｉｇｎａｌ  Ｐｒｏｃｅｓｓｏｒ）に対して対応する指示信号が送られる。そして、ＤＳＰでは、この指示信号に応じたゲイン調整等のデジタル処理が行われ、これにより音量や、ベースブースト量に対応する低域ゲイン等の調節が行われるものである。
なお、ここでいうベースブーストとは、音声信号における所定の低域のゲインを増加させることで、出力される音声の聴感上の低域も増加させる機能をいう。そしてこれによって、より低域の効いた迫力のある音を聴くことができるものである。
【０００３】
このように音量やトーン等の調節をデジタル処理により行う構成においては、トーンブースト量と音量の関係により音割れや歪みが生じてしまうことを防止するためのコントロール機能が与えられているものがある。
つまり、例えば先のベースブーストなどでは、音量が最大値付近にまで上げられると音割れや歪みが生じることがあるため、これを防止するために、トーンブースト量を音割れや歪みの生じないレベルに最適化しようとするものである。
【０００４】
このようなコントロール機能は例えば次のような構成により実現される。
上記のようにしてマイコン側からＤＳＰを制御することによって音量調節を行う場合、マイコンでは、キー操作により設定された音量レベルを常に認識している状態にある。そして、現在マイコンが認識している音量レベルに応じて、ベースブースト領域としての音声信号の帯域に対して最適とされるゲインが与えられるように、ＤＳＰを制御する。
【０００５】
ところで、ポータブルオーディオ機器における、例えば廉価版とされる機器などでは、上記のようにデジタル的に音量等の調節を行うのではなく、メカニカルボリュームを備えてアナログ的に音量調節を行うように構成したものがある。すなわち、音量調節を可変抵抗器により行うようにされたものである。
【０００６】
【発明が解決しようとする課題】
ここで、このようにアナログ的に音量調節を行うようにされた構成においても、ＤＳＰを備えてトーンなどの調節が可能とされているものがある。しかしながら、この場合は、上記したデジタル処理を行う構成のように、トーンブースト量を音量レベルに応じてコントロールするための機能を与えることが困難とされる。
【０００７】
例えば、先のデジタル的に音量調節を行う場合では、マイコン側は、キー操作によって設定された現在の音量レベルを常に認識可能とされている。そして、このようにマイコン側が音量レベルを認識しているので、上記のような音量レベルに応じたトーンブースト量のコントロールのための構成を容易に得ることができる。
これに対し、アナログ的に音量調節を行う場合は、可変抵抗器のシャフトの回転量等に応じて音量が設定されるものであることから、この場合は、上記のようにマイコン側で現在の音量レベルを認識することができない。
このことから、アナログ的に音量調節を行う場合は、音量レベルに応じたトーンブースト量のコントロールのための構成を容易にすることができなかった。
【０００８】
なお、これに対して、上記特許文献１に示される発明においては、このように、設定された音量レベルに応じるのではなく、音声信号中からトーンコントロールの対象となる帯域のレベルを直接検出した結果に応じて、トーンブースト量を可変するようにしている。
つまり、このような特許文献１の発明によれば、音声信号中から直接対象となる帯域の信号レベルが検出されることから、上記のように音量レベルを検出する必要がなくなるものである。
そして、このような特許文献１の発明を上記したアナログ的に音量調節を行う構成に適用すれば、アナログ的に音量調節を行う構成に対しても、トーンブースト量を最適にコントロールする機能を与えることが可能となる。
【０００９】
但しこの際、上記特許文献１に示される実際の構成においては、上記のようなトーンブーストのコントロールを実現するための構成として、音声信号中におけるトーンコントロールの対象とされる帯域のレベルを検出するための、例えばバンドパスフィルタやピークホールド回路等を設けるようにされている。
そして、このようなトーンブースト量のコントロールのための構成を、上記のようなアナログ的に音量を調節する構成に対して付加したとすると、先にも述べたようにアナログ的に音量を調節する構成としては廉価版とされる機器などに適用されることが想定されていることから、これら追加部品によるコスト増の割合が大きくなって好ましくない。
【００１０】
つまり、可変抵抗器を備えてアナログ的に音量調節を行うようにされた従来のポータブルオーディオ機器においては、回路の低コスト化を維持しつつ、上記したようなトーンブースト量のコントロール機能を与えることが要請されているものである。
【００１１】
【課題を解決するための手段】
そこで、本発明では音響再生装置として以下のように構成することとした。
すなわち、まず、入力される音声信号について、この音声信号を音声として出力したときに所定の音響効果が与えられるように、所要の信号処理が可能な信号処理手段と、上記信号処理手段により出力された上記音声信号が入力され、可変抵抗器を備えて上記音声信号の出力音声についての音量の調節を行う音量調節手段を備えるようにする。
そして、上記音量調節手段に対して入力されるべき音声信号に対して直流電圧成分を重畳する直流電圧重畳手段を備えるようにし、さらに、上記音量調節手段により出力される上記直流電圧成分が重畳されている音声信号から、音声信号成分を除去することで、上記直流電圧成分を抽出する直流電圧抽出手段を備えるようにする。
その上で、上記直流電圧抽出手段により抽出された上記直流電圧のレベルに応じて、上記音響効果に関する上記信号処理手段における所定の設定項目が可変されるように制御する制御手段を備えることとした。
【００１２】
上記のようにして、可変抵抗器を備える音量調節手段に対して入力されるべき音声信号に対して直流電圧成分を重畳した上で、この可変抵抗器を介して出力された音声信号から音声信号成分を除去することによっては、この可変抵抗器における抵抗値に応じた直流電圧成分のみが得られる。つまり、このようにして得られた直流電圧成分のレベルを、可変抵抗器より出力される音声信号の音量レベルとして扱うことができるものである。
そして、このように検出された直流電圧のレベルに応じて、上記のように信号処理手段における所定の設定項目を可変するようにすれば、例えばトーンブースト量などの設定項目の可変量を、音量に応じて最適化することができるようになる。
【００１３】
【発明の実施の形態】
図１は、本発明の実施の形態としての音響再生装置１の構成例を示した回路図である。
この図１に示す音響再生装置１は、ポータブルオーディオ機器として、例えばＣＤ（Ｃｏｍｐａｃｔ  Ｄｉｓｃ）に対応してオーディオデータの再生が可能な機器の内部に備えられる。
そして、この場合の音響再生装置１に対しては、音量調節の機能部位として、回路コスト削減等の面からメカニカルボリュームが採用される。
また、図示するようにこの音響再生装置１に対しては、ＤＳＰ（Ｄｉｇｉｔａｌ  Ｓｉｇｎａｌ  Ｐｒｏｃｅｓｓｏｒ）２が備えられ、このＤＳＰ２の有するベースブースト機能により、音声信号の低域部分を強調した音響再生が可能とされている。
【００１４】
先ずこの図において、ＤＳＰ２に対しては、ＣＤからの読み取られた信号に基づく再生ＲＦ信号が入力される。
このＤＳＰ２では、このように入力される再生ＲＦ信号について、２値化処理やＥＦＭ復調処理等の所要の処理を行って、デジタルオーディオ信号を得る。そして、このようにして得られたデジタルオーディオ信号をアナログ信号に変換し、図のようにＲチャンネルアナログ信号と、Ｌチャンネルアナログ信号との２系統を出力するようにされている。
【００１５】
また、これと共にＤＳＰ２においては、上記のようにして得られたデジタルオーディオ信号に対し、図示するマイコン（マイクロコンピュータ）３の制御に基づいた所要のデジタルオーディオ信号処理を実行することにより、オーディオ信号に音響効果を与えることが可能とされている。
特に本実施の形態の場合、このＤＳＰ２には、図示するベースブースト処理部２ａが備えられ、上述したようなオーディオ信号の低域部分を強調するためのベースブースト処理を行うようにされている。
このベースブースト処理部２ａは、マイコン３により設定されたゲイン値に応じて、ＤＳＰ２に入力されるオーディオ信号の低域成分のゲインを可変する構成を採る。
【００１６】
ＤＳＰ２から出力された、Ｒチャンネル側のアナログのオーディオ信号は、図示するように抵抗Ｒ１とカップリングコンデンサＣ１とによる直列接続回路を介して、可変抵抗ＶＲ−Ｒの３番端子に供給される。
また、ＤＳＰ２から出力されたＬチャンネル側のアナログのオーディオ信号も同様に、抵抗Ｒ２とカップリングコンデンサＣ２とによる直列接続回路を介して可変抵抗ＶＲ−Ｌの３番端子に供給される。
【００１７】
この場合、これら可変抵抗ＶＲ−Ｒと可変抵抗ＶＲ−Ｌとは、いわゆる２連の可変抵抗器として構成される。つまり、これら可変抵抗ＶＲ−Ｒと可変抵抗ＶＲ−Ｌとで共通とされた１本のシャフトが回転されることにより、これら可変抵抗ＶＲ−Ｒと可変抵抗ＶＲ−Ｌとにおける摺動子が同等量に摺動するように構成されているものである。
【００１８】
可変抵抗ＶＲ−Ｌの１番端子はアース接地される。そしてこの場合、この可変抵抗ＶＲ−Ｌにおける３番端子と、上記カップリングコンデンサＣ２との接続点に対しては、図示するように抵抗Ｒ４を介して直流電源ＶＣＣが接続される。
つまりこの場合、この直流電源ＶＣＣとしての直流電圧成分が、上記抵抗Ｒ４を介してＬチャンネルのオーディオ信号のラインに印加されるものである。そしてこれにより、Ｌチャンネル側のオーディオ信号に対しては、上記直流電源ＶＣＣの出力レベルに応じた直流電圧が重畳されているものである。
【００１９】
一方、上記可変抵抗ＶＲ−Ｒとしても、１番端子がアース接地される。そして、この可変抵抗ＶＲ−Ｒにおける３番端子と、上記カップリングコンデンサＣ１との接続点に対しては、図のようにアースとの間に抵抗Ｒ３が挿入される。
この抵抗Ｒ３は、Ｌチャンネル側のラインとＲチャンネル側のラインとで、入力インピーダンスが同等となるようにするために挿入されるものである。
つまりこの場合、上述したようにＬチャンネル側のラインに対しては、直流電圧印加のための抵抗Ｒ４が挿入されることから、これに対応してＲチャンネル側のラインとしても上記した抵抗Ｒ３を挿入して、Ｌ・Ｒの双方のラインにおけるインピーダンス整合を行うようにしたものである。
【００２０】
可変抵抗ＶＲ−Ｒの２番端子から出力されるＲチャンネルのアナログオーディオ信号は、カップリングコンデンサＣ３を介して増幅処理部８に入力される。
また、可変抵抗ＶＲ−Ｌの２番端子から出力されるＬチャンネルのアナログオーディオ信号は、カップリングコンデンサＣ４を介して上記増幅処理部８に入力されると共に、図示するローパスフィルタ（ＬＰＦ）７に分岐して入力される。なお、この際、増幅処理部８に供給されるＬチャンネルのオーディオ信号は、上記のようにカップリングコンデンサＣ４を介することにより、重畳された直流成分がカットされることとなる。つまり、このことから、Ｌチャンネル側の出力音声にこの直流電圧成分による影響は出ないものとなる。
【００２１】
増幅処理部８に入力された、上記Ｒチャンネルのオーディオ信号、及び上記Ｌチャンネルのオーディオ信号は、この増幅処理部８内に設けられたＲチャンネルアンプ（Ｒｃｈ  ＡＭＰ）４、Ｌチャンネルアンプ（Ｌｃｈ  ＡＭＰ）５の非反転端子に対してそれぞれ入力される。
これらＲチャンネルアンプ４、Ｌチャンネルアンプ５はオペアンプとされ、それぞれ、上記のように非反転端子に入力されたＲチャンネル、Ｌチャンネルのオーディオ信号を所定の増幅率により増幅する。
そして、これらＲチャンネルアンプ４、及びＬチャンネルアンプ５によって増幅されたＲチャンネルのオーディオ信号、Ｌチャンネルのオーディオ信号は、それぞれＲチャンネル出力、Ｌチャンネル出力として音響再生装置１外部に出力される。
また、この増幅処理部８において備えられるコモンアンプ（ＣＯＭ  ＡＭＰ）６は、非反転端子に図示する基準電圧Ｖｒｅｆが入力され、上記したＲチャンネル出力とＬチャンネル出力とが直流的に同電位となるように動作する。
【００２２】
ローパスフィルタ７には、図示するように抵抗Ｒ５とコンデンサＣ５とによるフィルタ回路が形成されている。
このローパスフィルタ７は、上記抵抗Ｒ５の抵抗値と、上記コンデンサＣ５のキャパシタンスとにより設定される所定の時定数により、上記のようにして可変抵抗ＶＲ−Ｌから入力されるＬチャンネルのオーディオ信号のうちの、音声信号成分としての高周波成分を除去するようにされている。
このローパスフィルタ７の出力は、図示するようにマイコン３に供給される。
【００２３】
マイコン３は、例えば内部にＲＯＭ、ＲＡＭ、ＣＰＵ（Ｃｅｎｔｒａｌ  Ｐｒｏｃｅｓｓｉｎｇ  Ｕｎｉｔ）等を備えて、当該音響再生装置１が備えられる機器全体の制御を行う。例えばこの場合のマイコン３は、図示されない操作入力部に対し、ベースブースト処理を実行させるための操作が行われたことに対応して、図示するベースブースト処理部２ａの動作が実行されるようにＤＳＰ２に対する制御を行う。
また、特に本実施の形態の場合、このマイコン３は、上記のように供給されるローパスフィルタ７の出力を、このマイコン３内に備えられる図示されないＡ／Ｄポートから入力し、このローパスフィルタ７の出力をデジタル信号に変換するようにされる。つまり、ローパスフィルタ７の出力レベルを数値化するようにされる。
そして、このようにして得られたローパスフィルタ７の出力レベルの値に応じて、後述するようにベースブースト処理部２ａに設定すべきベースブーストのゲイン値を設定するようにされている。
【００２４】
このように構成される本実施の形態の音響再生装置１における動作について説明する。
先ず、上述もしたように本実施の形態の音響再生装置１においては、ＤＳＰ２から出力されたＬチャンネル側のオーディオ信号ラインに対して、直流電源ＶＣＣからの直流電圧が印加される。つまりこれにより、可変抵抗ＶＲ−Ｌに供給されるべきＬチャンネルのアナログオーディオ信号に対して、上記直流電源ＶＣＣのレベルに応じた直流電圧が重畳されているものである。
そして、このように直流電圧の重畳されたＬチャンネルのオーディオ信号は、可変抵抗ＲＶ−Ｌを介して出力されて、増幅処理部８とローパスフィルタ７とに分岐して供給される。
【００２５】
ローパスフィルタ７においては、供給されたＬチャンネルのオーディオ信号から音声信号成分が除去される。つまりこの場合、Ｌチャンネルのオーディオ信号から、上記直流電源ＶＣＣにより重畳された直流電圧成分のみが抽出されるものである。
【００２６】
ここで、この際、上記のようにローパスフィルタ７において抽出される直流電圧成分としては、可変抵抗ＶＲ−Ｌを介して出力されたものであることから、この可変抵抗ＲＶ−Ｌにおいて得られている抵抗値に応じたレベルが得られることとなる。
つまり、この場合、このローパスフィルタ７において抽出された上記直流電圧のレベルを検出することによっては、可変抵抗ＶＲ−Ｌに設定されている抵抗値のレベルを検出することが可能となる。
そして、このことから、この場合はこのようにしてローパスフィルタ７によって抽出された直流電圧のレベルを、音量レベルとして扱うことができるものである。
【００２７】
このようにして、ローパスフィルタ７において抽出された音量レベルとしての直流電圧は、上記のようにマイコン３のＡ／Ｄポートに供給されてマイコン３内においてデジタル変換され、そのレベルが数値化される。
そして、上述もしたように、マイコン３では、このように数値として得られた音量レベルに応じて、ベースブースト処理部２ａに設定すべきゲイン値を決定する。
【００２８】
この際、マイコン３では、このようにして得られた音量調節レベルの値に応じて、例えば図２に示すような関係でベースブースト処理部２ａに設定すべきゲイン値を決定するようにされている。
つまり、この図２に示すように、マイコン３にて検出されている直流電圧レベルが大きくなるに従い、ベースブースト処理部２ａに設定すべきゲイン値が小さくなるようにすることで、音量に対するベースブースト量が過大とならないようなゲイン値を決定するものである。
【００２９】
これにより、ベースブースト処理部２ａにおけるベースブースト量が、音量レベルに対して過大なものとなってしまうことが抑制され、出力音声に音割れ等が発生することを効果的に抑制することができるようになる。
そしてこの結果、本実施の形態の音響再生装置１によっては、音声信号レベルを直接検出するための特別な構成を追加せずに、ベースブースト量のコントロール機能を実現できるものである。
【００３０】
なお、上記図２に示したような、音量レベルとしての直流電圧レベルと、マイコン３が決定するゲイン値との関係は、実際の聴感実験などから最適とされるものを割り出すようにすればよい。
【００３１】
ここで、上記で説明したように、本実施の形態では、可変抵抗ＲＶ−Ｌに得られている抵抗値のレベルから音量レベルを検出するようにしたが、このようにメカニカルボリュームとしての可変抵抗器の抵抗値レベルから音量レベルを検出するにあたっては、例えば抵抗値検出のための専用の可変抵抗を新たに設けて対応することも考えられる。
例えば、３連の可変抵抗器というものがあれば、１つのシャフトにより３つの可変抵抗の抵抗値を同等量可変することができるから、２つの可変抵抗はＬ・Ｒチャンネルの音量調節用途として使用し、残る１つの可変抵抗を音量検出用途に用いるということができる。
しかしながら現状において、このような３連の可変抵抗器としての部品は存在しない。つまり、このような部品選定上の都合から、この場合は上記のように２連の可変抵抗のうちの例えばＬチャンネル側の可変抵抗を音量調節レベル検出用途に兼用することとしたものである。
【００３２】
そして、このように音量調節のための既存の可変抵抗器を音量調節レベル検出用途に兼用したことによっては、少ない追加部品点数により本実施の形態の音響再生装置１としての動作を実現することができる。
つまりこの場合、本実施の形態としての動作を実現するにあたっては、従来のメカニカルボリュームを備える構成に対して、少なくとも抵抗Ｒ４と、抵抗Ｒ５とコンデンサＣ５によるローパスフィルタ７を追加するだけでよいことになる。
そしてこの際、追加部品としての上記抵抗Ｒ４、Ｒ５は、それぞれチップ抵抗で構成可能であり、また、上記コンデンサＣ５としても素子の単価は非常に安価なものである。
このことから、本実施の形態の音響再生装置１を実現するにあたっては、従来の構成に対する追加部品によるコストの増加を非常に低いものに抑えることが可能となる。
【００３３】
以上のことから、本実施の形態によっては、メカニカルボリュームを備えてアナログ段で音量の調節を行う音響再生装置として、低コスト化を維持しつつ、ベースブースト量が過大となって音割れ等が発生することを防止するコントロール機能を与えることが可能となる。
【００３４】
なお、上記実施の形態では、音響再生装置１が、例えばＣＤに対応したポータブルオーディオ機器に適用される場合を例に挙げたが、この他、例えばＭＤ（Ｍｉｎｉ  Ｄｉｓｃ）や半導体メモリによるメモリカード等のデジタル信号が記録された記録媒体に対応する機器に対しても好適に適用できる。
また、このようなデジタルオーディオ信号が記録された記録媒体に対応する以外にも、例えば磁気記録媒体等のアナログオーディオ信号が記録された記録媒体に対応するように構成されてもよい。
さらには、記録媒体についての再生を行う機器以外にも、例えば放送信号を受信してこれを音声出力する機器に対しても好適に適用することができる。
【００３５】
また、上記実施の形態では、直流電源ＶＣＣをＬチャンネル側のアナログ信号ラインに対して印加してＬチャンネル側の音量レベルを検出するようにしたが、この直流電源ＶＣＣをＲチャンネル側のラインに対して供給してＲチャンネル側の音量レベルを検出するように構成されてもよい。
【００３６】
また、実施の形態では、対応するオーディオ信号がＬ・Ｒの２チャンネルとされる場合を例に挙げたが、モノラルのオーディオ信号や３チャンネル以上のオーディオ信号に対応することも可能である。
【００３７】
さらに、上記実施の形態では、検出された音量調節レベルに応じてベースブースト処理のための動作を制御するようにしたが、例えば高域トーンや残響音の調節等、他の音響効果についての調節レベルを制御するようにしてもよい。
例えば、高域トーンに関しては、ベースブーストの場合と同様、音量に対するブースト量が過大となると、聴感上不自然な感じを与えるものとなる。このことから、この場合も検出された電圧レベル（音量レベル）に応じて、高域部分のブースト量が過大とされるレベルにならないように制御することが考えられる。
また、例えば残響音の調節に関しては、一例としてこのような残響音の残響時間を可変して調節を行うことが考えられるが、この場合も音量レベルに対するこのような残響音の残響時間が過大となると、聴感上不自然な感じを与えるものとなる。従ってこの場合は、例えば、このような残響音の残響時間としての設定項目（パラメータ）を音量レベルに応じて適切な状態に制御することが考えられる。
【００３８】
【発明の効果】
以上のように本発明では、メカニカルボリュームとしての可変抵抗器を備えて音量調節を行う音響再生装置において、可変抵抗器に対して入力されるべき音声信号に対して直流電圧成分を重畳するようにしている。
そして、この可変抵抗器から出力された、上記直流電圧成分の重畳された音声信号から音声信号成分を除去することにより上記直流電圧成分のみを検出し、この検出された直流電圧成分の電圧レベルを検出することにより、上記可変抵抗器における抵抗値、すなわち音量レベルを検出するようにしている。
その上で、音響効果を与えるための信号処理動作についての所定の設定項目を、上記検出された電圧レベル（音量レベル）に応じて制御するようにしたものである。
【００３９】
これにより、例えばトーンブーストなどの音響効果を与えるための所定の設定項目を、上記のように検出された音量レベルとしての電圧レベルに応じて最適なものに設定することが可能となる。
つまりこれにより、先に説明したような、音声信号レベルを直接検出するための特別な構成を追加することなく、トーンブーストなどの音響効果についての設定項目（パラメータ）を最適に設定することが可能となる。
【００４０】
また、上記本発明によれば、音声信号に対して直流電圧成分を重畳する直流電圧重畳手段と、直流電圧成分の重畳された音声信号から音声信号成分を除去する直流電圧抽出手段とをそれぞれ実現するために必要な追加部品を、例えば抵抗素子１つと、抵抗素子とコンデンサによるローパスフィルタのみとすることが可能となる。
つまりこのことから、本発明によっては、トーンブーストなどの音響効果についてのパラメータを最適化するコントロール機能を、従来のように音声信号レベルを直接検出するための、例えばピークホールド回路等の特別な構成を追加する場合よりも、非常に簡易且つ安価に実現することができる。
【００４１】
以上のことから、本発明によっては、メカニカルボリュームによりアナログ的に音量調節を行う音響再生装置に対して、低コスト化を維持しつつ、例えばトーンブースト量が過大となって音割れ等が発生することを防止するためのコントロール機能を与えることが可能となる。
【図面の簡単な説明】
【図１】本発明における、実施の形態としての音響再生装置の内部構成例を示す回路図である。
【図２】直流電圧レベル（音量レベル）に応じて決定すべきベースブーストゲイン値の例を示した図である。
【符号の説明】
１  音響再生装置、２  ＤＳＰ、２ａ  ベースブースト処理部、３  マイコン、４  Ｒチャンネルアンプ、５  Ｌチャンネルアンプ、６  コモンアンプ、７  ローパスフィルタ、８  増幅処理部
【図１】
2004289608.tif 000003
【図２】
2004289608.tif 000004